(57)【要約】      （修正有）【課題】簡易に着脱可能であって、長期間に亘り確実に買い物かごやショッピングカートの側面に固定可能な広告体を提供する。【解決手段】上部に開口を有し、少なくとも側面部が縦横の複数の線状体１６により形成された荷物収容部１５を備える荷物収容体２の、前記側面部に取り付けられる広告体３０であって、広告情報を表示する板状の基体と、当該基体の上下いずれか一方の端部に突出して設けられ、前記線状体１６に装着される第１の装着部と、当該基体の上下いずれか他方の端部に突出して設けられ、隣接する前記線状体１６、１６の間に挿入されて装着される第２の装着部と、を備える。【選択図】図１
0003172672.tif 000002
【実用新案登録請求の範囲】
【請求項１】
上部に開口を有し、少なくとも側面部が縦横の複数の線状体により形成された荷物収容部を備える荷物収容体の、前記側面部に取り付けられる広告体であって、
広告情報を表示する板状の基体と、
前記基体の上下いずれか一方の端部に突出して設けられ、縦方向に配置される前記線状体に装着される第１の装着部と
前記基体の上下いずれか他方の端部に突出して設けられ、隣接する前記線状体の間に装着される第２の装着部と、
を備えることを特徴とする広告体。
【請求項２】
前記第１の装着部と、第２の装着部は、前後方向に複数設けられることを特徴とする請求項１に記載の広告体。
【請求項３】
前記第１の装着部は、
前記線状体を収容する孔部と、前記線状体を前記孔部に挿入させるための切込みと、を有する突起部を有し、
前記第２の装着部は、
先端部が前記線状体の間の幅よりも幅広に形成され、基端側で隣接する前記線状体を支持する突起部を有していることを特徴とする請求項１、又は請求項２に記載の広告体。
【請求項４】
前記広告体を荷物収容体に装着した状態において、
前記第１の装着部及び第２の装着部はいずれも横方向に配置される前記線状体に当接していることを特徴とする請求項１〜３のいずれか一項に記載の広告体。
【請求項５】
前記第１の装着部の突起部と前記基体との境目には、ハーフカット状に形成された切込線が形成されていることを特徴とする請求項３、又は請求項４に記載の広告体。
【考案の詳細な説明】
【技術分野】
【０００１】
本考案は、買物かごやショッピングカートの側部に装着可能な広告体に関する。
【背景技術】
【０００２】
スーパーマーケット等の店舗には商品等を収納するための収納かごを備えたショッピングカートや買物かごが置かれている。
【０００３】
一方で、このショッピングカートや買物かごを用いた広告の宣伝手法として、例えば、ショッピングカートや買物かごの側面に店舗や商品に関する様々な情報（以下、「広告情報」と称する。）を表示する手法が知られている。具体的な一例としては、広告情報を表示した表示体を収納可能なカードケースを買物かごの側面に着脱可能に装着する手法であり（例えば、特許文献１参照）、このカードケースに様々な広告を表示した紙等の表示体を収容することで、顧客に対して当該広告情報を伝達することができる。
【先行技術文献】
【特許文献】
【０００４】
【特許文献１】実用新案登録３１４９８６１号公報
【考案の概要】
【考案が解決しようとする課題】
【０００５】
しかしながら、特許文献１に開示されているカードケースは、弾性部材を介して左右方向に引っ張られることにより買物かごの側面に保持されるものであるため、弾性部材の経年劣化により弾性部材が撓みしっかりと固定しておくことができなくなる虞がある。
【０００６】
また、広告情報は度々変更される可能性があるため、簡易に着脱できる方が便利である。
【０００７】
そこで、本考案は上記問題点に鑑みてなされたものであり、その目的の一例は、簡易に着脱可能であって、長期間に亘り確実に且つ安定して買い物かごやショッピングカートの側面に固定可能な広告体を提供することにある。
【課題を解決するための手段】
【０００８】
上記課題を解決するために、請求項１に記載の広告体（３０）は、上部に開口を有し、少なくとも側面部が縦横の複数の線状体（１６）により形成された荷物収容部（１５）を備える荷物収容体（２）の、前記側面部に取り付けられる広告体であって、広告情報を表示する板状の基体（３３）と、当該基体の上下いずれか一方の端部に突出して設けられ、前記線状体に装着される第１の装着部（３５）と、当該基体の上下いずれか他方の端部に突出して設けられ、隣接する前記線状体の間に挿入されて装着される第２の装着部（４０）と、を備えることを特徴とする。
【０００９】
また、請求項２に記載の広告体は、請求項１に記載の広告体において、前記第１の装着部及び第２の装着部は、前後方向に複数設けられることを特徴とする。
【００１０】
また、請求項３に記載の広告体は、請求項１、又は請求項２に記載の広告体において、前記第１の装着部は、前記線状体を収容する孔部（３７）と、前記線状体を前記孔部に挿入させるための切込み（３８）と、を有する突起部（３６）を有し、前記第２の装着部は、先端部が前記線状体の間の幅よりも幅広に形成され、基端側で隣接する前記線状体を支持する突起部（４２）を有していることを特徴とする。
【００１１】
また、請求項４に記載の広告体は、請求項１〜３のいずれか一項に記載の広告体において、前記広告体を荷物収容体に装着した状態において、前記第１の装着部及び第２の装着部はいずれも横方向に配置される前記線状体に当接していることを特徴とする。
【００１２】
また、請求項５に記載の広告体は、請求項３、又は請求項４に記載の広告体において、前記第１の装着部の突起部と前記基体との境目には、ハーフカット状に形成された切込線が形成されていることを特徴とする。
【考案の効果】
【００１３】
本考案によれば、広告体を荷物収容体から簡易に着脱可能であって、当該荷物収容体に広告体を確実且つ安定して固定できる。
【図面の簡単な説明】
【００１４】
【図１】広告体が装着されたショッピングカートの斜視図である。
【図２】収納かごの構成図である。
【図３】広告体の正面図である。
【図４】図３のＡ部分の拡大図である。
【図５】図３のＢ部分の拡大図である。
【図６】広告体の装着状態を説明するための斜視図である。
【図７】他の実施形態に係る広告体が装着された買物かごの斜視図である。
【考案を実施するための形態】
【００１５】
以下に、本願の最良の実施形態を添付図面に基づいて説明する。また、説明の便宜上、図１に示すショッピングカート２において、左右方向をショッピングカートの前後方向と、上下方向をショッピングカートの上下方向と、奥行側を右側と、手前側を左側として説明を行うものとする。
【００１６】
まず、図１を参照して、ショッピングカートの構成について説明する。図１に示すように、本実施形態のショッピングカート２は、スーパーマーケット等の店舗において、顧客が荷物を積載して搬送するための車両であり、商品等の荷物を収容して移動自在なカート本体５を備えている。なお、本実施形態のショッピングカート２は、本願の荷物収容体として機能する。
【００１７】
カート本体５は、移動用の車輪３が設けられた台座フレーム１０と、この台座フレーム１０の後部の左右両端に立設される一対の支持フレーム１１と、この支持フレーム１１の前方に突出して設けられる収納かご１５（本願の荷物収容部）と、前記支持フレーム１１の上端部相互を連結するハンドル１２と、を備えている。
【００１８】
このカート本体５は、前方から後方へ向かって横幅が徐々に拡大されて形成されている。さらに、カート本体５は、収納かご１５の後端面が前方へと回動可能になっており、他のカート本体５の収納かご１５を後方から収納かご１５の内部へと挿入することで、カート本体５を重ねて収納できるようになっており、その結果、複数のショッピングカート２の収納スペースを小さくすることができるようになっている。
【００１９】
台座フレーム１０は断面が略円形状の複数のフレーム１０ａを組み合わせて構成され、その下方四隅には移動用の車輪３が取り付けられている。この車輪３は、台座フレーム１０に対して水平方向に回転可能な支持体４を介して保持されており、カート本体５は、前後左右方向に自由に移動することができる。
【００２０】
支持フレーム１１は、前記台座フレーム１０の左右後端からそれぞれ直立されて、下方において前方へ屈曲させた後、再び鉛直上向きに屈曲されて形成されている。そして、この支持フレーム１１の上端縁相互は、ハンドル１２として機能する水平な支持体１２ａにより連結されている。
【００２１】
この前記台座フレーム１０及び支持フレーム１１、ハンドル１２は、例えば、金属製のパイプ材により形成されており、各フレーム１０、１１、及びハンドル１２は、溶接等により連結されて形成される。
【００２２】
収納かご１５は、前記支持フレーム１１相互間に収容されると共に店舗に常備されている買物かごを載置可能な大きさに設定された金属製の網かごである。この収納かご１５は、前方から後方に向かって横幅が徐々に広くなるように形成されており、この後端部が前記支持フレーム１１に取り付けられている。
【００２３】
この収納かご１５は、図１及び図２に示すように、断面が略円形状で形成された複数の線状材１６、１７で構成されており、上部が開放されて形成されている。この収納かご１５の後方及び底面は、多数の縦方向に配置される線状材１６と多数の横方向に配置される線状材１７により格子状に組み合わせられ、両者の交点はスポット溶接等により固着して形成される。一方、収納かご１５の前方及び側面は、多数の線状材１６により所定の空間部２０を有するようにして連子状に形成されている。また、前面及び両側面には、上端部と下端部に上記線状材１６、１７よりも少し太い線状材により形成された略コ字状の補強枠１８が水平方向に取り付けられ、線状材１６、１７との交点はスポット溶接等により固着して形成されている。
【００２４】
この収納かご１５は、図２に示すように、縦横に複数の線状材１６、１７を、それぞれ所定間隔で配列し、各線状材１６、１７を底面を形成する部分は格子状に重ね合わせ、前面及び両側面を形成する部分は、各線状材１６、１７が外側に延長されて延びるように配置され、当該延長された各線状材１６、１７をそれぞれ起立させるように折り曲げて形成される。また、収納かご１５の後方部は、上記同様に縦横の複数の線状材を格子状に重ね合わせて形成された後面枠１９が支持フレーム１１、１１相互に架け渡されて配置される支持体２５に回動可能に取り付けられており、後方からの他のショッピングカート２の収納かご１５を受け入れ可能になっている。
【００２５】
次に、ショッピングカート２に取り付けられる広告体３０について説明する。図１及び図３に示すように、広告体３０は、広告情報を表示するものであって、当該ショッピングカート２の前面や側面に取り付けられる（以下に示す実施例ではショッピングカート２の側面に広告体３０を取り付けた時の実施例を示す。）。
【００２６】
広告体３０は、アクリル樹脂材、プラスチック材料などの弾性力を有する部材で構成されており、その表面には、広告が表示される。広告体３０は、好適には、側面部であって、上下に配置される補強枠１８の間に装着され、この広告体３０の板厚は、前記補強枠１８の直径よりも小さく設定されている。この結果、広告体３０を収納かご１５の側面部に装着した際に、広告体３０が外側へと張り出さないため、ショッピングカート２を重ねて収容する際の接触による広告体３０への損傷を回避できる。
【００２７】
本実施形態の広告体３０は、図３に示すように、上部が前方から後方に向かって上昇するテーパを有する矩形状の基体３３を備え、この基体３３の上辺には、縦方向の線状材１６に装着される第１の装着部３５が所定の間隔を有して複数設けられており、下辺には、隣接する縦方向の線状材１６、１６の間の空間部２０に挿入して装着される第２の装着部４０が所定の間隔を有して複数設けられている。
【００２８】
なお、基体３３の形状は、そのショッピングカート２の形状によって種々異なる形状に形成される。また、第１及び第２の装着部３５、４０も少なくとも上下に１つ設けてあれば良く、前後方向の長さによってその数は適宜設定される。
【００２９】
第１の装着部３５は、図３及び図４に示すように、前記基体３３の上端部から上方に突出する突起部３６を有している。この突起部３６は、図６に示すように、突起部３６の基端側で内側に折り曲げられて、収納かご１５の上端部に配置される補強枠１８の裏面に沿うように配置されるものであり、この突起部３６の突出長さはこの補強枠１８の内側への突出長さよりも短いことが好ましい。これにより、収納かご１５に荷物を収容する際の突起部３６との接触を防止できる。なお突起部３６と基体３３との境目には、図６に示すように、好ましくは、ハーフカット状に形成された切込線３９が形成される。これにより、突起部３６を折り曲げ易くなる。
【００３０】
また、この突起部３６には、略中央部に貫通孔３７が形成されており、さらに、この貫通孔３７と突起部３６の周縁とを繋ぐ切込み３８が形成されている。この切込み３８は、線状材１６を貫通孔３７へと案内するためのものであって、この切込み３８を介して線状材１６が貫通孔３７に収容される。このようにして、当該第１の装着部３５を所定の線状材１６に装着することで、広告体３０の上方が固定される。
【００３１】
一方、第２の装着部４０は、図３及び図５に示すように、前記基体３３の下端部から下方に突出する突起部４２を有している。この突起部４２は、図６に示すように、外側から隣り合う線状材１６、１６間の空間部２０に挿入され、収納かご１５の内部において、当該収納かご１５の下端部に配置される補強枠１８の裏面に沿うようにして配置されるものである。
【００３２】
この突起部４２は、その先端側が前記空間部２０の幅よりも幅広に形成されており、その基端側は空間部２０の幅とほぼ同じ幅に形成されている。また、突起部４２の基端側の両側の形状は、線状材１６の外形に沿った円弧形状に形成されていることが好ましい。
【００３３】
このように構成された突起部４２は、先端側を弾性変形させて空間部２０に挿入され、線状材１６、１６によって基端側の両側が係止される。このようにして、当該第２の装着部４０を所定の線状材１６、１６間の空間部２０に装着することで、広告体３０の下方が固定される。
【００３４】
以上に説明したように、本実施形態のショッピングカートに用いられる広告体３０は、上部に開口を有し、側面部が縦横の複数の線状体１６により形成された収納かご１５を備えるショッピングカート２の、前記側面部に取り付けられる広告体３０であって、広告情報を表示する基体３３と、この基体３３の上端部に突出して設けられ、前記線状体１６に装着される第１の装着部３５と、この基体３３の下端部に突出して設けられ、隣接する前記線状体１６、１６の間に有する空間部２０に装着される第２の装着部４０と、を備えている。この結果、広告体３０を簡易に着脱可能に装着可能であって、当該広告体３０は、その位置ずれが防止されてショッピングカート２の側面に固定される。また、前記第１の装着部３５と、第２の装着部４０は、適宜、前後方向に複数設けられていても構わない。このようにすれば、更に確実に広告体３０を固定することが可能である。
【００３５】
また、前記第１の装着部３５は、前記線状体１６を収容する孔部３７と、前記線状体１６を前記孔部３７に挿入させるための切込み３８と、を有する突起部３６を有し、前記第２の装着部４０は、先端部が隣接する前記線状体１６、１６の間の幅よりも幅広に形成され、基端側で隣接する前記線状体１６を支持可能な突起部４２を有している。この結果、簡易に広告体３０を固定したり取り外したりすることができる。
【００３６】
さらに、広告体３０がショッピングカート２の側面部に取り付けられたときに、突起部３６及び４２はそれぞれ、上下横方向に配置される補強枠１８に当接するようになっている。この結果、広告体３０は、下側が補強枠１８に当接し、隣接する線状材１６間に係止されることによって下方にずり落ちること、及び横方向にずれることが防止され、上側が補強枠１８に当接し、線状材１６に装着されることによって横方向にずれることが防止され、ショッピングカート２の移動による振動等によってもずれることなく固定される。
【００３７】
―その他の実施形態―
以下、図７を参照して、他の実施形態の広告体５０について説明する。なお、図１乃至図６と同一の機能を有する部材には同一の符号を付するものとし、その説明は省略するものとする。
【００３８】
本実施形態の広告体５０の特徴となるべき点は、第１の実施形態と比較して、装着される荷物収容体が買物かごである点である。
【００３９】
具体的には、本実施形態の買物かご５０ａは、略矩形状の底部とその底部の周囲から立設される側壁とを有し、上方に開口を有する箱状の収容体が樹脂により一体成型されて製造される。また、側壁及び底部には、所定の間隔で配列された空間部２０が形成され、縦方向と横方向に延びる線状体１６、１７により格子状に形成される。
【００４０】
また、買物かご５０ａは、側壁の上端部に対向して配置される取手５１が折畳み可能に設けられており、顧客は、当該取手５１を把持し収容体５１を持ち上げて移動させる。
【００４１】
この買物かご５０ａの側面には略矩形状に形成された広告体５０が装着される。広告体５０は、図示しないが上記実施形態で説明したように、上端部から上方に突出する第１の装着部３５と下端部から下方に突出する第２の装着部４０とを備えており、本実施形態では、第１の装着部３５は、突起部３６が空間部２０を介して買物かご３０の内側へと折り曲げられて、縦方向の線状体１６に装着される。一方で、第２の装着部４０は、空間部２０に装着される。このように、本実施形態の広告体５０は、買物かごに対応することが可能となっている。
【００４２】
なお、以上説明した実施形態は実用新案登録請求の範囲に係る考案を限定するものではない。そして、上記実施形態の中で説明されている構成の組み合わせ全てが考案の課題解決に必須の手段であるとは限らない。
【００４３】
具体的には、本実施形態では、第１の装着部３５を基体３３の上端部に設け、第２の装着部４０を基体３３の下端部に設けているが、第２の装着部４０を基体３３の上端部に設け、第１の装着部３５を基体３３の上端部に設けても構わない。
【００４４】
また、本実施形態の広告体３０、５０は、１枚の薄板で形成されているが、透明体を用いて２枚の板で構成し、その間に紙などの広告媒体を挿入する形態とすることも可能である。
【符号の説明】
【００４５】
２    ショッピングカート
１５    収納かご
１６    線状材
２０  空間部
３３  基体
３５  第１の装着部
３６  突起部
３７  貫通孔
３８  切込み
４０  第２の装着部
４２  突起部
【図１】
0003172672.tif 000003
【図２】
0003172672.tif 000004
【図３】
0003172672.tif 000005
【図４】
0003172672.tif 000006
【図５】
0003172672.tif 000007
【図６】
0003172672.tif 000008
【図７】
0003172672.tif 000009